(57)【要約】【課題】前進時にも後退時にも塵埃の良好な吸込みと拭き掃除とができる吸込み口体を提供する。【解決手段】吸込み口本体２１の吸塵開口３１ａの前側に第１清掃体２４、後側に第２清掃体２５を夫々取付ける。第１清掃体２４は、吸込み口本体２１の前進時に吸塵開口３１ａの前方からの被清掃面Ｆに沿う吸塵開口３１ａへの吸込みを許し、吸込み口本体２１の後退時に拭き部材２４ｅを被清掃面Ｆに接触させて吸塵開口３１ａの前方からの被清掃面Ｆに沿う前記吸込みを抑制する。第２清掃体２５は、吸込み口本体２１の前進時に拭き部材２５ｅを被清掃面Ｆと接触させて吸塵開口３１ａの後方からの被清掃面Ｆに沿う吸塵開口３１ａへの吸込みを抑制し、吸込み口本体２１の後退時に吸塵開口３１ａの後方からの被清掃面Ｆに沿う前記吸込みを許す。【選択図】　　図２
2004121409.tif 000002
【特許請求の範囲】
【請求項１】
吸塵開口を有した吸込み口本体と、
被清掃面を拭く拭き部材を有し、前記吸塵開口の前側に設けられて、前記吸込み口本体の前進時に前記吸塵開口の前方からの被清掃面に沿う前記吸塵開口への吸込みを許し、前記吸込み口本体の後退時に前記拭き部材を前記被清掃面に接触させて前記吸塵開口の前方からの被清掃面に沿う前記吸込みを抑制する第１開閉部材と、
前記被清掃面を拭く拭き部材を有し、前記吸塵開口の後側に設けられて、前記吸込み口本体の前進時に前記拭き部材を前記被清掃面と接触させて前記吸塵開口の後方からの被清掃面に沿う前記吸塵開口への吸込みを抑制し、前記吸込み口本体の後退時に前記吸塵開口の後方からの被清掃面に沿う前記吸込みを許す第２開閉部材と、を具備する吸込み口体。
【請求項２】
吸塵開口を有した吸込み口本体と、
通気部、及び外周に被清掃面を拭く拭き部材を有しており、前記吸塵開口の前側に前記吸込み口本体の前後移動に連動して反転自在に取付けられて、前記吸込み口本体の前進時に前記通気部を通して前記吸塵開口の前方からの被清掃面に沿う前記吸塵開口への吸込みを許し、前記吸込み口本体の後退時に前記拭き部材を前記被清掃面に接触させて前記吸塵開口の前方からの被清掃面に沿う前記吸込みを抑制する第１清掃体と、
通気部、及び外周に被清掃面を拭く拭き部材を有しており、前記吸塵開口の後側に前記吸込み口本体の前後移動に連動して反転自在に取付けられて、前記吸込み口本体の前進時に前記拭き部材を前記被清掃面と接触させて前記吸塵開口の後方からの被清掃面に沿う前記吸塵開口への吸込みを抑制し、前記吸込み口本体の後退時に前記通気部を通して前記吸塵開口の後方からの被清掃面に沿う前記吸込みを許す第２清掃体と、を具備する吸込み口体。
【請求項３】
請求項２に記載の吸込み口体において、前記第１及び第２清掃体が夫々、円弧面を有した断面Ｄ字状部分、外周が前記被清掃面に接する断面円形状部分、及び前記断面Ｄ字状部分と前記断面円形状部分とで区画される前記通気部を有し、外面に前記拭き部材が設けられた清掃体主部を備えているとともに、前記断面円形状部分の外周には、前記吸込み口本体の前後移動に伴う前記被清掃面との抵抗で前記清掃体主部を反転させる抵抗手段が設けられている。
【請求項４】
掃除機本体内の電動送風機の動作により、前記掃除機本体の集塵室に連通された吸込み口体の吸塵開口から被清掃面の塵を空気とともに吸込んで、この吸込んだ塵を前記集塵室内に捕捉する電気掃除機において、前記吸込み口体に請求項１〜３の内のいずれか１項に記載の吸込み口体を用いた電気掃除機。
【発明の詳細な説明】
【０００１】
【発明の属する技術分野】
本発明は、被清掃面上の塵を取り込む吸込み口体、及び、この吸込み口体を備えた電気掃除機に関する。
【０００２】
【従来の技術】
電気掃除機に具備される吸込み口体には、吸込み口本体に形成された吸塵開口の近傍に起毛布を設けたものがある。この吸込み口体では、吸込み口本体を前後方向に摺動させることで、被清掃面上の塵を吸塵開口から内部に取り込むと同時に起毛布で被清掃面を拭き掃除することができる。
【０００３】
この種の吸込み口体としては、従来、吸込口を有する吸込具本体、吸込み口の前方と後方に配設された塵埃除去ブラシ、吸込口の後方に配設された回転起毛布ローラ、及び、吸込具本体の両端部に配設された一対の起毛布を具備した吸込具が知られている（例えば、特許文献１参照）。
【０００４】
【特許文献１】
特開平５−２６１０３９号公報（第２−３頁、図１）
【０００５】
【発明が解決しようとする課題】
しかし、特許文献１に記載の吸込具では、前進時に前方の塵埃除去ブラシがこのブラシよりも前側にある塵を前方に押し動かすので、吸塵開口の前方の塵埃の吸込口からの取り込みが阻害され易い。同様に、後退時は後方の塵埃除去ブラシがこのブラシよりも後側にある塵を後方に押し動かすので、吸塵開口の後方の塵埃の吸込口からの取り込みが阻害され易い。
【０００６】
本発明が解決しようとする課題は、前進時にも後退時にも塵埃の良好な吸込みと拭き掃除とができる吸込み口体、及び、この吸込み口体を備えた電気掃除機を得ることにある。
【０００７】
【課題を解決するための手段】
前記課題を解決するために、請求項１に係る発明の吸込み口体は、吸込み口本体の吸塵開口の前側に、吸込み口本体の前進時に吸塵開口の前方からの被清掃面に沿う吸塵開口への吸込みを許し、吸込み口本体の後退時に拭き部材を被清掃面に接触させて吸塵開口の前方からの被清掃面に沿う前記吸込みを抑制する第１開閉部材を設けているとともに、吸塵開口の後側に、前記吸込み口本体の前進時に前記拭き部材を前記被清掃面と接触させて前記吸塵開口の後方からの被清掃面に沿う前記吸塵開口への吸込みを抑制し、前記吸込み口本体の後退時に前記吸塵開口の後方からの被清掃面に沿う前記吸込みを許す第２開閉部材を設けている。
【０００８】
この吸込み口体によれば、吸込み口本体の前進時、第１開閉部材は吸塵開口の前方からの被清掃面に沿う吸塵開口への吸込みを許すので、この第１開閉部材よりも前側にある塵は前方に押し動かされることなく吸塵開口から内部に取り込まれる。また、第２開閉部材は拭き部材を被清掃面と接触させているので、被清掃面はこの第２開閉部材により拭き掃除される。
【０００９】
一方、吸込み口本体の後退時は、第２開閉部材は吸塵開口の後方からの被清掃面に沿う吸塵開口への吸込みを許すので、この第２開閉部材よりも後側にある塵は後方に押し動かされることなく吸塵開口から内部に取り込まれる。また、第１開閉部材は拭き部材を被清掃面と接触させているので、被清掃面はこの第１開閉部材により拭き掃除される。
【００１０】
【発明の実施の形態】
以下、図１〜図６を参照して本発明の一実施形態を説明する。
【００１１】
図１に例示するキャニスタ型の電気掃除機１は、掃除機本体２と、これに内蔵された電動送風機３と、床面等の被清掃面Ｆから吸込んだ空気を掃除機本体２内に導く気流ガイド手段７と、吸込み口体２０とを具備している。
【００１２】
移動車輪６が取付けられている掃除機本体２は、例えば集塵室からなる集塵部４と、この集塵部４に対する空気の流れ方向の上流側に位置する吸込み口５とを有している。掃除機本体２内には、集塵部４に対する空気の流れ方向の下流側、例えば掃除機本体２の後部に位置して電動送風機３が配置されている。
【００１３】
気流ガイド手段７は、例えば可撓性の吸塵ホース８と、例えば伸縮式で硬質な延長管１０とを備えている。吸塵ホース８の一端部８ａは吸込み口５に着脱可能に挿し込み接続される。吸塵ホース８の他端部８ｂは手元操作部９で形成されている。手元操作部９が有するハンドル９ａには各種の操作スイッチ９ｂが取付けられている。延長管１０の一端部１０ａは手元操作部９の先端嵌合筒部に着脱可能に接続される。延長管１０の他端部１０ｂ又は手元操作部９の先端嵌合筒部には、吸込み口体２０が選択的に着脱可能に接続される。
【００１４】
電気掃除機１の電動送風機３を駆動させることにより、この電動送風機３に吸込まれる気流が形成される。それによって、吸込み口体２０から床面等の被清掃面Ｆの塵を空気とともに吸込んで、それを、延長管１０及び吸塵ホース８のうちの少なくとも吸塵ホース８を経由させて掃除機本体２の集塵部４に導き、この集塵部４内に着脱可能に収容された集塵袋等のフィルタ４ａで前記塵を捕捉できる。
【００１５】
なお、集塵部４は、掃除機本体２に着脱されて、その装着状態でサイクロン式の集塵ができる集塵カップで形成することもできる。集塵部４のフィルタ４ａを通過した空気は、電動送風機３に吸込まれてこの電動送風機３から排出された後、掃除機本体２に設けた排気口（図示せず）を通して掃除機本体２の外部に排出される。以上により被清掃面Ｆを掃除できる。
【００１６】
次に、図２〜図６を参照して吸込み口体２０について説明する。この吸込み口体２０は、吸込み口本体２１、接続管２２、回転清掃体２３、第１開閉部材２４、及び、第２開閉部材２５等を備えている。
【００１７】
吸込み口本体２１は、上ケース３０と、下ケース３１と、第１中仕切り３２と、第２中仕切り３３を有するリング部材３４とを含んでいる。上下両ケース３０，３１は互いに連結されている。下ケース３１の底面には吸塵開口３１ａが開けられている。この吸塵開口３１ａは吸込み口本体２１の幅方向（図２及び図３を描いた紙面の表裏方向）に延びて形成されている。吸塵開口３１ａの両側部には、例えば起毛布からなる一対の固定拭き部材４５が貼り付けられている（図５及び図６参照）。
【００１８】
第１中仕切り３２は、吸塵開口３１ａの前方に位置するように上ケース３０に取付けられている。リング部材３４は、第２中仕切り３３が吸塵開口３１ａの後方に位置するように上下両ケース３０，３１の間に取付けられている。
【００１９】
リング部材３４の後部には管継手３５が前後方向と軸方向とで回転自在に取付けられ、この管継手３５にはリング部材３４に対してその後側から連通する接続管２２が取付けられている。接続管２２は管継手３５側の一端部を中心として上下方向に起倒可能に設けられている。
【００２０】
なお、図２及び図３中符号３６は、管継手３５に接続された固定ガイド、符号３７は、管継手３５の起倒に連動して固定ガイド３６上を摺動する可動ガイドを夫々示している。両ガイド３６，３７により、接続管２２が起こされた際に、リング部材３４と接続管２２との間の気密が確保されるようになっている。接続管２２の図示しない他端部は延長管１０または吸塵ホース８に着脱可能に嵌合して接続される。
【００２１】
第１中仕切り３２により、この第１中仕切り３２の下方に位置して第１収容室３８が形成されている。第２中仕切り３３とこの第２中仕切り３３を下側から支持する下ケース３１とにより、第２中仕切り３３の下方に位置して第２収容室３９が形成されている。第１中仕切り３２とこの第１中仕切り３２を上側から支持する上ケース３０と第２中仕切り３３との間には、本体内空間部４０が形成されている。この本体内空間部４０は、第１収容室３８及び第２収容室３９を上方から覆うように形成されている。
【００２２】
本体内空間部４０と第１収容室３８とは第１塵通過部４１を通して連通されており、本体内空間部４０と第２収容室３９とは第２塵通過部４２を通して連通されている。また、本体内空間部４０は、下ケース３１の吸塵開口３１ａから連通されているとともに、リング部材３４に前側から連通されている。第１収容室３８及び第２収容室３９は夫々下方に開口して被清掃面Ｆに臨んでいる。したがって、第１収容室３８に吸込まれた被清掃面上Ｆの塵は、第１塵通過部４１及び吸塵開口３１ａを通って本体内空間部を流通し、この空間部４０からリング部材３４を通って接続管２２を流通して気流ガイド手段７に吸込まれる。
【００２３】
同様に、第２収容室３９に吸込まれた被清掃面Ｆ上の塵は、第２塵通過部４２を通って本体内空間部４０を流通し、この空間部４０からリング部材３４を通って接続管２２を流通して気流ガイド手段７に吸込まれる。
【００２４】
回転清掃体２３は、第１中仕切り３２と第１中仕切り３２との間に配置されて吸込み口本体２１に取付けられている。この回転清掃体２３は、図５及び図６に示すように、吸塵開口３１ａの長さ方向（図２及び図３を描いた紙面の表裏方向、図５及び図６を描いた紙面の左右方向）に延びており、吸込み口本体２１に組み込まれた図示しないモータを駆動源として回転駆動されるようになっている。なお、回転清掃体２３及びモータは省略してもよい。
【００２５】
回転清掃体２３は、回転軸２３ａの外周にゴム製ブレードやブラシ等の清掃部品２３ｂを螺旋状に取付けて形成されている。清掃部品２３ｂは、これが回転軸２３ａの下端部に移動された際に被清掃面Ｆに接するように吸塵開口３１ａより突出する長さに設定されている。
【００２６】
第１収容室３８には、被清掃面Ｆを拭く拭き部材２４ｅを有し、吸込み口本体２１の前進時に吸塵開口３１ａの前方からの被清掃面Ｆに沿う吸塵開口３１ａへの吸込みを許し、吸込み口本体２１の後退時に拭き部材２４ｅを被清掃面Ｆに接触させて吸塵開口３１ａの前方からの被清掃面Ｆに沿う前記吸込みを抑制する第１開閉部材２４、例えば、第１清掃体が一例として反転自在に取付けられている。以下、第１開閉部材２４を第１清掃体という。
【００２７】
詳しくは、第１清掃体２４は、外面に平坦面２４ａと円弧面２４ｂとを有する断面Ｄ字状部分２４ｆ、断面Ｄ字状部分２４ｆの両端部に設けられて外周が被清掃面Ｆに接する一対の断面円形状部分２４ｇ、及び断面Ｄ字状部分２４ｆと断面円形状部分２４ｇとで区画される通気部２４ｈを有し、外面に拭き部材２４ｅが設けられた細長形状の清掃体主部２４ｃを備えている。
【００２８】
清掃体主部２４ｃは、吸塵開口３１ａの長さ方向（図２及び図３を描いた紙面の表裏方向、図５及び図６を描いた紙面の左右方向）に延びている。拭き部材２４ｅは、清掃体主部２４ｃの外面、例えば断面Ｄ字状部分２４ｆの円弧面２４ｂ及び断面円形状部分２４ｇの外周に被着されている。拭き部材２４ｅとしては例えば起毛布が用いられている。
【００２９】
第１清掃体２４の両端部からは軸部２４ｄが突出している。これら軸部２４ｄには夫々図示しない突起が設けられている。一方、下ケース３１の前部両端側壁５３（図５及び図６参照）には、図示しない軸受部が設けられている。これら軸受部には、前記突起が嵌り込む溝部が９０°の角度範囲内に形成されている。突起及び溝部は、吸込み口本体２１の前進時に通気部２４ｈを通して吸塵開口３１ａの前方からの被清掃面Ｆに沿う吸塵開口３１ａへの吸込みを許す開状態と、吸込み口本体２１の後退時に拭き部材２４ｅを被清掃面Ｆに接触させて吸塵開口３１ａの前方からの被清掃面Ｆに沿う前記吸込みを抑制する閉状態とで清掃体主部２４ｃの回転を規制できる位置に夫々形成されている。そして、軸受部の溝部に軸部２４ｄの突起を嵌め込んだ状態でこれら軸受部の夫々に第１清掃体２４の両端部の軸部２４ｄを夫々取付けることによって、第１清掃体２４は第１収容室３８に上記開状態と閉状態とにわたって反転自在に収容されている。
【００３０】
また、第２収容室３９には、被清掃面Ｆを拭く拭き部材２５ｅを有し、吸込み口本体２１の前進時に拭き部材２５ｅを被清掃面Ｆと接触させて吸塵開口３１ａの後方からの被清掃面Ｆに沿う吸塵開口３１ａへの吸込みを抑制し、吸込み口本体２１の後退時に吸塵開口３１ａの後方からの被清掃面Ｆに沿う前記吸込みを許す第２開閉部材２５、例えば、第２清掃体が一例として反転自在に取付けられている。以下、第２開閉部材２５を第２清掃体という。
【００３１】
第２清掃体２５は第１清掃体２４と同形状である。つまり、外面が平坦面２５ａと円弧面２５ｂとを有する断面Ｄ字状部分２５ｆ、断面Ｄ字状部分２５ｆの両端部に設けられて外周が被清掃面Ｆに接する一対の断面円形状部分２５ｇ、及び断面Ｄ字状部分２５ｆと断面円形状部分２５ｇとで区画される通気部２５ｈを有し、外面に拭き部材２５ｅが設けられた細長形状の清掃体主部２５ｃを備えている。
【００３２】
清掃体主部２５ｃは、吸塵開口３１ａの長さ方向（図２及び図３を描いた紙面の表裏方向、図５及び図６を描いた紙面の左右方向）に延びている。拭き部材２５ｅは、清掃体主部２５ｃの外面、例えば断面Ｄ字状部分２５ｆの円弧面２５ｂ及び断面円形状部分２５ｇの外周に被着されている。拭き部材２５ｅとしては例えば起毛布が用いられている。
【００３３】
第２清掃体２５の両端部からは軸部２５ｄが突出している。これら軸部２５ｄには夫々図示しない突起が設けられている。一方、下ケース３１の前部両端側壁５４（図５及び図６参照）には、図示しない軸受部が設けられている。これら軸受部には、前記突起が嵌り込む溝部が９０°の角度範囲内に形成されている。突起及び溝部は、吸込み口本体２１の前進時に拭き部材２５ｅを被清掃面Ｆと接触させて吸塵開口３１ａの後方からの被清掃面Ｆに沿う吸塵開口３１ａへの吸込みを抑制する閉状態と、吸込み口本体２１の後退時に通気部２５ｈを通して吸塵開口３１ａの後方からの被清掃面Ｆに沿う前記吸込みを許す開状態とで清掃体主部２５ｃの回転を規制できる位置に夫々形成されている。そして、軸受部の溝部に軸部２５ｄの突起を嵌め込んだ状態でこれら軸受部の夫々に第２清掃体２５の両端部の軸部２５ｄを夫々取付けることによって、第２清掃体２５は第２収容室３９に上記閉状態と開状態とにわたって反転自在に収容されている。
【００３４】
本実施形態では、清掃体主部２４ｃ，２５ｃが断面円形状部分２４ｇ，２５ｇを有しており、断面円形状部分２４ｇ，２５ｇの通気部２４ｈ，２５ｈに隣接する部位外周に抵抗手段を兼ねる拭き部材２４ｅ，２５ｅが設けられているため、第１及び第２清掃体２４，２５は、吸込み口本体２１の被清掃面Ｆ上の前進と後退とに連動して自動的に反転する。つまり、これら第１及び第２清掃体２４，２５では、吸込み口本体２１の前後移動に伴う断面円形状部分２４ｇ，２５ｇの外周と被清掃面Ｆとの抵抗で清掃体主部２４ｃ，２５ｄが自動的に反転する。
【００３５】
また、図２及び図３中符号４３はバンパー、符号４４は表面に起毛布が装着された車輪を示している。図５及び図６で点模様が付されている領域は、起毛布が装着されている領域である。
【００３６】
また、この第１及び第２清掃体２４，２５では、断面円形状部分２４ｇ，２５ｇを断面Ｄ字状部分２４ｆ，２５ｆの両端部に２つ設けているが、断面円形状部分２４ｇ，２５ｇの数はいくつであってもよい。ただし、清掃体主部２４ｃ，２５ｃを安定な状態で反転させるためには、断面円形状部分２４ｇ，２５ｇは２つ以上設けるのが好ましい。一方、通気部２４ｈ，２５ｈの大きさを確保するためには、断面円形状部分２４ｇ，２５ｇは少ない方が好ましい。したがって、断面円形状部分２４ｇ，２５ｇは、断面Ｄ字状部分２４ｆ，２５ｆの両端部或いは両端部と中間部とで２つ或いは３つ程度設けるのが好ましい。
【００３７】
このように、清掃体主部２４ｃ、２５ｃに夫々円形状部分２４ｇ，２５ｇを備えさせ、円形状部分２４ｇ，２５ｇの通気部２４ｈ，２５ｈに隣接する部位外周に抵抗手段としての拭き部材２４ｅ，２５ｅを被着させた構成によれば、吸込み口本体２１の前進・後退を特別に検知する構成、及びこの検知に基づいて第１及び第２清掃体２４，２５を反転させる構成が不用であり、極めて単純な構成で確実に第１及び第２清掃体２４，２５を往復反転させて吸塵開口３１ａを開閉できる点で優れている。
【００３８】
なお、抵抗手段と拭き部材とは別体でもよい。抵抗手段としては、断面円形状部分２４ｇ，２５ｇの通気部２４ｈ，２５ｈに隣接する部位外周を粗面とすることもできる。しかし、摩擦係数がフローリング床面のような被清掃面Ｆと比べて大きく、しかも同被清掃面Ｆと比べて軟らかい起毛布等を巻きつけてなる抵抗手段を採用することは、同被清掃面Ｆを傷つけないだけでなく、同被清掃面Ｆを拭くことができる点で好ましい。
【００３９】
前記構成の電気掃除機１を用いた掃除において、吸込み口体２０は、吸塵開口３１ａが開けられた下ケース３１を被清掃面Ｆに対向させた状態で、この被清掃面Ｆに沿って押し引きされる。
【００４０】
吸込み口体２０を被清掃面Ｆに沿って前進させると、吸込み口体２０と被清掃面Ｆとの関係は、図２及び図５に示すようになる。図２中矢印Ｘで吸込み口体２０の前進方向を示す。
【００４１】
つまり、前進時には、第１及び第２清掃体２４，２５は夫々、この吸込み口本体２１の前進に連動して、断面円形状部分２４ｇ，２５ｇの外周と被清掃面Ｆとの抵抗により、図２中時計回りに９０°反転する。これにより、第１清掃体２４は通気部２４ｈを通して吸塵開口３１ａの前方からの被清掃面Ｆに沿う吸塵開口３１ａへの吸込みを許す開状態となり、第２清掃体２５は拭き部材２５ｅを被清掃面Ｆと接触させて吸塵開口３１ａの後方からの被清掃面Ｆに沿う吸塵開口３１ａへの吸込みを抑制する閉状態となる。なお、時計回りに９０°反転した第１及び第２清掃体２４，２５は、さらに吸込み口体２０を前進させてもそれ以上回動することなく開状態及び閉状態で停止する。
【００４２】
第１清掃体２４は開状態となっているため、この第１清掃体２４よりも前側にある塵は前方に押し動かされることなく第１収容室３８に良好に入り込まれる。そして、第１塵通過部４１、吸塵開口３１ａ、及び本体内空間部４０を流通して、この空間部４０からリング部材３４を通って接続管２２を流通して気流ガイド手段７に吸込まれる。
【００４３】
一方、吸塵開口３１ａから吸塵された後の状態である吸塵開口３１ａより後方の被清掃面Ｆは、拭き部材２５ｅを被清掃面Ｆと接触させて停止した第２清掃体２５により拭き掃除される。しかも、第２清掃体２５により下ケース３１と被清掃面Ｆとの間がシールされているので、本体内空間部４０の負圧の低下が抑制され、吸塵力が高まる。
【００４４】
吸込み口体２０を被清掃面Ｆに沿って後退させると、この吸込み口体２０と被清掃面Ｆとの関係は、図３及び図６に示すようになる。図３中矢印Ｙで吸込み口体２０の後退方向を示す。
【００４５】
つまり、後退時には、第１及び第２清掃体２４，２５は夫々、この吸込み口本体２１の後退に連動して、断面円形状部分２４ｇ，２５ｇの外周と被清掃面Ｆとの抵抗により、図３中反時計回りに９０°反転する。これにより、第１清掃体２４は拭き部材２４ｅを被清掃面Ｆと接触させて吸塵開口３１ａの前方からの被清掃面Ｆに沿う吸塵開口３１ａへの吸込みを抑制する閉状態となり、第２清掃体２５は通気部２５ｈを通して吸塵開口３１ａの後方からの被清掃面Ｆに沿う吸塵開口３１ａへの吸込みを許す開状態となる。なお、反時計回りに９０°反転した第１及び第２清掃体２４，２５は、さらに吸込み口体２０を後退させてもそれ以上回動することなく閉状態及び開状態で停止する。
【００４６】
第２清掃体２５は開状態となっているため、この第２清掃体２５よりも後側にある塵は後方に押し動かされることなく吸塵開口３１ａから第２収容室３９に良好に入り込まれる。そして、第２塵通過部４２及び本体内空間部４０を流通して、この空間部４０からリング部材３４を通って接続管２２を流通して気流ガイド手段７に吸込まれる。
【００４７】
一方、吸塵開口３１ａから吸塵された後の状態である吸塵開口３１ａより前方（移動方向後方）の被清掃面Ｆは、拭き部材２４ｅを被清掃面Ｆと接触させて停止した第１清掃体２４により拭き掃除される。しかも、第１清掃体２４により下ケース３１と被清掃面Ｆとの間がシールされているので、本体内空間部４０の負圧の低下が抑制され、吸塵力が高まる。
【００４８】
以上のように、本実施形態の吸込み口体２０によれば、吸込み口本体２１の前進時、第１清掃体２４の前方にある塵を吸塵開口３１ａから内部に良好に取り込むことができる。また、第２清掃体２５により被清掃面Ｆを拭き掃除することができる。さらに、第２清掃体２５により下ケース３１と被清掃面Ｆとの間がシールされているので、塵は第２清掃体２５よりも後方に行き難い。したがって、塵が進行方向とは反対側である吸込み口本体２１の後方に逃けるのを抑制できるので、良好に集塵できる。しかも、本体内空間部４０の負圧の低下を抑制して、吸塵力を高めることができる。
【００４９】
一方、吸込み口本体２１の後退時は、第２清掃体２５の後方にある塵を吸塵開口３１ａから内部に良好に取り込むことができる。また、第１清掃体２４により被清掃面Ｆを拭き掃除することができる。さらに、第１清掃体２４により下ケース３１と被清掃面Ｆとの間がシールされているので、塵は第１清掃体２４よりも前方に行き難い。したがって、塵が進行方向とは反対側である吸込み口本体２１の前方に逃げるのを抑制できるので、良好に集塵できる。しかも、本体内空間部４０の負圧の低下を抑制して、吸塵力を高めることができる。
【００５０】
したがって、本実施形態の吸込み口体２０によれば、前進時にも後退時にも吸込み口本体２１の進行方向前側からの塵埃の良好な吸込みと吸塵した後の被清掃面Ｆの拭き掃除とができる。
【００５１】
さらに、清掃体主部２４ｃ、２５ｃに夫々円形状部分２４ｇ，２５ｇを備えさせ、円形状部分２４ｇ，２５ｇの通気部２４ｈ，２５ｈに隣接する部位外周に抵抗手段としての拭き部材２４ｅ，２５ｅを設けているので、極めて単純な構成で確実に第１及び第２清掃体２４，２５を往復反転させて吸塵開口３１ａを開閉できる。
【００５２】
なお、本実施形態では、第１及び第２清掃体２４，２５の反転角度を９０°に設定しているが、第１及び第２清掃体２４，２５の反転角度は９０°〜２７０°の間に設定すればよく、このように設定することにより、第１及び第２清掃体２４，２５を、吸込み口本体２１の前後移動に連動させて、吸塵開口への吸込みを許す開状態と、吸塵開口への吸込みをを抑制する閉状態とにわたって開閉させることができる。
【００５３】
また、この発明の吸込み口体は、吸込み口本体２１の前進・後退を検知する検知手段、及びこの検知に基づいて第１及び第２清掃体２４，２５を反転させる回転装置を設け、第１及び第２清掃体２４，２５を吸込み口本体２１の前進と後退とに連動させて反転させるように構成してもよい。
【００５４】
さらに、本実施形態では、第１及び第２開閉部材２４，２５として、吸込み口本体２１の前後移動に連動して反転する第１及び第２清掃体を用いたが、第１及び第２開閉部材２４，２５はこれに限定されるものではない。第１及び第２開閉部材２４，２５としては、例えば、制御装置で通電が制御されるソレノイド及びこのソレノイドを介して開閉するシャッター等を用いて構成してもよい。その場合、拭き部材はシャッターの下面に設ければよい。
【００５５】
この発明の吸込み口体は、キャニスタ型の電気掃除機だけでなく、例えばスティック型等の種々の電気掃除機に取付けて使用することができる。
【００５６】
【発明の効果】
本発明によれば、前進時に前方からの塵埃の吸込みが良好にでき、後退時に後方からの塵埃の吸込みが良好にできるとともに、前進時及び後退時の双方で拭き掃除ができる吸込み口体、及び、この吸込み口体を備えた電気掃除機が得られる。
【図面の簡単な説明】
【図１】本発明の一実施形態に係る電気掃除機を示す斜視図。
【図２】図１の電気掃除機が備える吸込み口体を被清掃面に沿って前進させた時の断面図。
【図３】図１の電気掃除機が備える吸込み口体を被清掃面に沿って後退させた時の断面図。
【図４】図１の電気掃除機が備える吸込み口体の第１清掃体を示す斜視図。
【図５】図１の電気掃除機が備える吸込み口体を被清掃面に沿って前進させた時の下面図。
【図６】図１の電気掃除機が備える吸込み口体を被清掃面に沿って後退させた時の下面図。
【符号の説明】
１…電気掃除機
２…掃除機本体
３…電動送風機
２０…吸込み口体
２１…吸込み口本体
２４…第１開閉部材（第１清掃体）
２５…第２開閉部材（第２清掃体）
２４ｂ，２５ｂ…円弧面
２４ｃ，２５ｃ…清掃体主部
２４ｅ，２５ｅ…拭き部材
２４ｆ，２５ｆ…断面Ｄ字状部分
２４ｇ，２５ｇ…断面円形状部分
２４ｈ，２５ｈ…通気部
３１ａ…吸塵開口
Ｘ…吸込み口体の前進方向
Ｙ…吸込み口体の後退方向
Ｆ…被清掃面
【図１】
2004121409.tif 000003
【図２】
2004121409.tif 000004
【図３】
2004121409.tif 000005
【図４】
2004121409.tif 000006
【図５】
2004121409.tif 000007
【図６】
2004121409.tif 000008